(57)【要約】      （修正有）【課題】導光板の構造及び様々なマイクロ構造設計に基づき、導光、ライトフィールドのオープン、反射、光取り出しなどの効果を生じ、全体の光出射の均一度を向上できる平面発光装置を提供する。【解決手段】導光板は、導光板の角部に位置するとともに光源を収納するための収納部３１と、導光板を貫通する貫通穴３２と、貫通穴を囲む環状部３３と、を備え、環状部は、ストリップ状突起をなす複数の第１のマイクロ構造３３１を有し、第１のマイクロ構造は、環状部に沿って延伸している。凸レンズに類似する導光効果を生じ、光線は正面３０１から出射する時、環状部上に均一に分布する。【選択図】図１
0003217387.tif 000002
【実用新案登録請求の範囲】
【請求項１】
平面発光装置であって、
光源と、
導光板と、を含み、
前記導光板は、前記導光板の角部に位置するとともに前記光源を収納するための収納部と、前記導光板を貫通する貫通穴と、前記貫通穴を囲む環状部と、を備え、前記環状部は、ストリップ状突起をなす複数の第１のマイクロ構造を有し、前記第１のマイクロ構造は、前記環状部に沿って延伸している、平面発光装置。
【請求項２】
平面発光装置であって、
光源と、
導光板と、を含み、
前記導光板は、前記導光板の角部に位置するとともに前記光源を収納するための収納部と、前記導光板を貫通する貫通穴と、前記貫通穴を囲む環状部と、を備え、前記貫通穴は、先端部及び中央部を備え、前記先端部は、前記中央部に連通され且つ前記収納部へ向いている、平面発光装置。
【請求項３】
前記環状部には、ストリップ状突起をなす複数の第１のマイクロ構造を備え、前記第１のマイクロ構造は、前記環状部に沿って延伸している、請求項２に記載の平面発光装置。
【請求項４】
前記導光板は、正面と、前記正面とは反対側の背面と、を備え、前記収納部は、前記背面に形成され、前記第１のマイクロ構造は、前記正面に形成されている、請求項１又は３に記載の平面発光装置。
【請求項５】
前記環状部に、複数の第２のマイクロ構造を更に備え、前記第２のマイクロ構造は、ドット状に分布されるように、前記背面に形成されている、請求項４に記載の平面発光装置。
【請求項６】
前記第２のマイクロ構造は、前記光源に接近する位置でその分布密度が小さくなり、前記光源から離間する位置でその分布密度が大きくなる、請求項５に記載の平面発光装置。
【請求項７】
前記導光板の収納部は、入光面を備え、前記入光面は、前記光源側を向いており、複数の入光マイクロ構造が形成されている、請求項１乃至６のいずれか１項に記載の平面発光装置。
【請求項８】
前記導光板の環状部は、前記貫通穴を囲む内側環状面を備え、前記内側環状面には、複数の内側環状面マイクロ構造が形成されている、請求項１乃至７のいずれか１項に記載の平面発光装置。
【請求項９】
前記導光板は、前記環状部の外周縁に沿って設置される複数のスロットを更に含む、請求項１乃至８のいずれか１項に記載の平面発光装置。
【考案の詳細な説明】
【技術分野】
【０００１】
本考案は、発光設備に関し、特に平面発光装置に関する。
【背景技術】
【０００２】
従来の平面発光装置は、半導体発光デバイス及び導光板を含む。導光板は、円盤状の内側導光部と環状の外側導光部との間に、別の部材として、環状の反射壁部を備える。
【０００３】
また、導光板は、外側導光部の外側に環状の外側反射壁部を備える。内側導光部と外側導光部との間には、遮光の環状の反射壁部が設置され、反射壁部には外側導光部と連通する切欠き部が形成され、半導体発光装置が切欠き部に配置されている。
【０００４】
上記構造設計により、単一の発光部材の点光源を面光源に変換できる。しかしながら、上記構造には依然として、上方が明るく、下方が暗いという出射される輝度が不均一である課題があった。
【考案の概要】
【考案が解決しようとする課題】
【０００５】
したがって、本考案は、光出射の均一度を向上できる平面発光装置を提供することを目的とする。
【課題を解決するための手段】
【０００６】
本考案の平面発光装置は、光源と導光板と含む。導光板は、導光板の角部に位置するとともに前記光源を収納するための収納部と、導光板を貫通する貫通穴と、貫通穴を囲む環状部と、を備え、貫通穴は、先端部及び中央部を備え、先端部は中央部に連通され且つ収納部へ向いている。
【０００７】
本考案の別の目的は、他の形態の平面発光装置を提供することである。
【０００８】
平面発光装置は、光源と導光板と含む。導光板は、導光板の角部に位置するとともに前記光源を収納するための収納部と、導光板を貫通する貫通穴と、貫通穴を囲む環状部と、を備え、環状部は、ストリップ状突起をなす複数の第１のマイクロ構造を有し、第１のマイクロ構造は、環状部に沿って延伸している。
【０００９】
本考案の他の技術案によると、環状部に、ストリップ状突起をなす複数の第１のマイクロ構造を有し、第１のマイクロ構造は、環状部に沿って延伸している。
【００１０】
本考案のさらに他の技術案によると、導光板は、正面と、正面とは反対側の背面と、を備え、収納部は、背面に形成され、第１のマイクロ構造は、正面に形成されている。
【００１１】
本考案の他の技術案によると、環状部に、複数の第２のマイクロ構造を更に備え、第２のマイクロ構造は、ドット状に分布されるように、背面に形成されている。
【００１２】
本考案のまた他の技術案によると、第２のマイクロ構造は、光源に接近する位置でその分布密度が小さくなり、光源から離間する位置でその分布密度が大きくなる。
【００１３】
本考案のさらに他の技術案によると、導光板の収納部は、入光面を備え、入光面は、光源側を向いており、複数の入光マイクロ構造が形成されている。
【００１４】
本考案の他の技術案によると、導光板の環状部は、貫通穴を囲む内側環状面を備え、内側環状面には、複数の内側環状面マイクロ構造が形成されている。
【００１５】
本考案のまた他の技術案によると、導光板は、環状部の外周縁に沿って設置される複数のスロットを更に含む。
【考案の効果】
【００１６】
本考案は、導光板の構造及び様々なマイクロ構造設計に基づき、導光、ライトフィールドのオープン、反射、光取り出しなどの効果を生じることができるため、全体の光出射の均一度を向上できるという有益な効果を有する。
【図面の簡単な説明】
【００１７】
【図１】本考案の平面発光装置の第１の好ましい実施例を説明する上面図である。
【図２】図１における丸で示す領域の拡大構造を示す部分拡大図である。
【図３】別の角度から第１の好ましい実施例を補助して説明する下面図である。
【図４】本考案の平面発光装置の第２の好ましい実施例を説明する上面図である。
【考案を実施するための形態】
【００１８】
本考案の関連技術内容は、以下の図面を参照した好ましい実施例の詳細な説明において、明瞭になる。詳細な説明を行う前に、類似した部材を同じ番号で示すことは、注意すべきである。
【００１９】
図１乃至図３は、本考案の平面発光装置の第１の好ましい実施例を示している。図１乃至図３を参照すると、平面発光装置は、光源２及び導光板３を備えている。導光板３は、導光板３の角部に位置するとともに光源２を収納するための収納部３１と、導光板３を貫通する貫通穴３２と、貫通穴３２を囲む環状部３３と、環状部３３の外周縁に沿って設置されている複数のスロット３４とを備えている。
【００２０】
環状部３３上には、複数の第１のマイクロ構造３３１と複数の第２のマイクロ構造３３２とを備えている。第１のマイクロ構造３３１は、ストリップ状突起をなし、且つ環状部３３に沿って延伸し、第２のマイクロ構造３３２は、ドット状に分布されている。導光板３は、正面３０１と、正面３０１とは反対側の背面３０２とを備えている。第１のマイクロ構造３３１は、正面３０１に形成されている。また、光源２を収納するための収納部３１と、第２のマイクロ構造３３２とは、背面３０２に形成され、第２のマイクロ構造３３２の分布位置は、第１のマイクロ構造３３１の分布位置と対応している。なお、本実施例において、環状部３３は、マイクロ構造領域３３ａと空白領域３３ｂとを備え、マイクロ構造領域３３ａと空白領域３３ｂとが互いに接続することによって組み合わされた円形状になり、空白領域３３ｂが光源２に対向するため、マイクロ構造領域３３ａは、非閉鎖型のＣ形であり、両端を有する。光源２は、導光板３の背面３０２に設置され、第２のマイクロ構造３３２は、光源２に接近する位置（即ち、マイクロ構造領域３３ａの両端）でその分布密度が小さくなり、光源２から離間する位置でその分布密度が大きくなる。
【００２１】
導光板３の収納部３１は、入光面３１１を備え、入光面３１１は光源２側を向いており且つ導光板３の背面３０２に位置し、入光面３１１には、複数の入光マイクロ構造３１２が形成されている。また、導光板３的環状部３３は、更に、貫通穴３２を囲む内側環状面３３３を備え、内側環状面３３３には複数の内側環状面マイクロ構造３３４が形成されている。
【００２２】
上記構造設計によって、収納部３１内に位置する光源２から光線を出射する場合、光線はまず収納部３１の入光面３１１を通過する。入光面３１１に入光マイクロ構造３１２が形成されているため、光線が入光面３１１を通過するとき、入光マイクロ構造３１２は、光源２から出射される光線を、元々狭いライトフィールドからより斜めの角度に変化させてそれぞれ環状部３３のマイクロ構造領域３３ａの両端に入射させる。
【００２３】
光線が環状部３３のマイクロ構造領域３３ａの両端に入射した後、導光板３の正面３０１に位置する第１のマイクロ構造３３１がストリップ状突起をなし、且つ環状部３３に沿って延伸しているため、凸レンズに類似する導光効果を生じ、光線が導光板３の正面３０１から出射されるとき、第１のマイクロ構造３３１を利用して集合させて環状部３３上に均一に分布させる。また、導光板３の背面３０２に位置する第２のマイクロ構造３３２がドット状に分布されているため、光線が導光板３で伝達するときの全反射効果を無効にさせ、光線を導光板３の正面３０１から出射させることで光取り出しの効果を達することができる。また、第２のマイクロ構造３３２が光源２に接近する位置でその分布密度が小さくなり、光源２から離間する位置で大きくなるため、光源２から離間する位置での光取り出しの度合が光源２に接近する位置での光取り出しの度合より大きくなり、これによって光源２から離間する位置で暗い領域が生じることを避けて、均一な光出射の効果に達することができる。
【００２４】
また、導光板３のスロット３４は、環状部３３の外周縁に沿って設置されており、環状部３３の側環状面３３３に形成されている内側環状面マイクロ構造３３４とともに、光線を反射して、光線を環状部３３の範囲内に維持することができる。
【００２５】
導光板３の構造及び様々なマイクロ構造設計に基づき、導光、ライトフィールドのオープン、反射、光取り出しなどの効果を生じることができるため、全体の光出射の均一度を向上できる。
【００２６】
図４は、本考案の平面発光装置の第２の好ましい実施例を示す。第２の好ましい実施例は、大体、第１の好ましい実施例と同じであり、相違点は、導光板３の貫通穴３２が先端部３２１及び中央部３２２を備え、先端部３２１が中央部３２２に連通され且つ収納部３１へ向いている点である。
【００２７】
上記設計に基づき、第１の好ましい実施例と同じ効果に達する以外にも、貫通穴３２が雫状に設計されていることで、先端部３２１が光源２（他の面に設置されている）から出射された光線を分割する効果を生じることができる。言い換えると、先端部３２１は光線を二つの部分に反射させてそれぞれ環状部３３のマイクロ構造領域３３ａの両端に入射させ、環状部３３は続いて導光効果を生じることができ、これによって、全体の光出射の均一度にさらなる向上効果を齎す。
【００２８】
上記のように、本考案の平面発光装置は、導光板３の構造及び様々なマイクロ構造設計に基づき、導光、ライトフィールドのオープン、反射、光取り出しなどの効果を生じることができるため、全体の光出射の均一度を向上でき、本考案の目的を確実に実現することができる。
【００２９】
上記は、本考案の好ましい実施例であって、これによって本考案の実施範囲を限定するものではなく、本考案の特許請求の範囲及び明細書の内容に対する簡単な同等な変更及び修正はいずれも本考案の特許請求の範囲に属することは、理解すべきである。
【符号の説明】
【００３０】
２      光源
３      導光板
３０１  正面
３０２  背面
３１    収納部
３１１  入光面
３１２  入光マイクロ構造
３２    貫通穴
３２１  先端部
３２２  中央部
３３    環状部
３３ａ  マイクロ構造領域
３３ｂ  空白領域
３３１  第１のマイクロ構造
３３２  第２のマイクロ構造
３３３  内側環状面
３３４  内側環状面マイクロ構造
３４    スロット
【図１】
0003217387.tif 000003
【図２】
0003217387.tif 000004
【図３】
0003217387.tif 000005
【図４】
0003217387.tif 000006